(57)【特許請求の範囲】
【請求項１】
蓋体とその両端に設けられた回動軸を有し、装置本体に形成された記録媒体挿入口に上記回動軸が支持されて上記記録媒体挿入口を閉塞する防塵扉と、
上記回動軸に設けられ、当該回動軸を挟んで平行に軸線方向に延在する一対の弾性部材係止部と、
上記回動軸に一部が挿入され、この一部を挟むように一方と他方が上記一対の弾性部材係止部の各々に係止される弾性部材と、
上記装置本体に設けられ、上記防塵扉を上記記録媒体挿入口に装着したとき、上記弾性部材の両端部に上記弾性部材係止部と同じ側から当接する一対のストッパとを備えたことを特徴とする防塵扉構造。
【請求項２】
弾性部材が、ねじりコイルばねであることを特徴とする請求項１記載の防塵扉構造。
【請求項３】
弾性部材が、Ｕ字形に形成された板ばねであることを特徴とする請求項１記載の防塵扉構造。
【請求項４】
一対のストッパのねじりコイルの端部が当接する部分に、凹部が形成されていることを特徴とする請求項２記載の防塵扉構造。
【請求項５】
弾性部材の側面から見た形状が、回動軸の軸線を含み、かつ一対のストッパを結ぶ線に対して垂直な平面について対称形に形成されていることを特徴とする請求項２または請求項３記載の防塵扉構造。
【発明の詳細な説明】
【０００１】
【発明の属する技術分野】
この発明は、車載用音響機器等の記録媒体挿入口を開閉する防塵扉構造に関する。
【０００２】
【従来の技術】
図５は車載用音響機器の意匠パネルの正面図で、１は意匠パネル、２は記録媒体挿入口、３は防塵扉である。また、図６（ａ）は防塵扉構造を示す意匠パネルの背面から見た斜視図、図６（ｂ）はその分解斜視図である。
図において、防塵扉３は蓋体３ａとその上端両端部に回動軸３ｂ，３ｂを有している。また、一方の回動軸３ｂの先端にはクランク部３ｃが形成され、このクランク部３ｃには弾性部材係止部３ｄが形成されており、回動軸３ｂに巻回部４ａが挿入されたねじりコイルばね４の端部４ｂが係止される。ねじりコイルばね４が取り付けられた防塵扉３は、図６（ｂ）に一点鎖線で示すように、回動軸３ｂ，３ｂが意匠パネル１に形成された取付け穴１ａと取付け溝１ｂに挿入されて回動可能に支持され、ねじりコイルばね４の他方の端部４ｃは、意匠パネル１に形成された保持部１ｃに挿入されて保持され、防塵扉３の蓋体３ａが記録媒体挿入口２を閉塞する。
【０００３】
以上のように意匠パネル１に取り付けられた防塵扉３は、記録媒体を挿入すると回動軸３ｂを支点に挿入方向に回動して開口し、記録媒体が装着されるとねじりコイルバネ４の付勢力により元の位置に戻って、記録媒体挿入口２を閉塞する。また、記録媒体排出時は排出方向に回動して開き、排出されると元の位置に戻って記録媒体挿入口２を閉塞する。
【０００４】
【発明が解決しようとする課題】
従来の防塵扉構造は以上のように構成されているので、意匠パネルへの取り付け時に、弾性部材であるねじりコイルばねの一方の端部を防塵扉の回動軸のクランク部に固定し、他方の端部を意匠パネルの保持部に挿入させる必要があるので、組み立て作業が難しいという問題があった。
また、防塵扉が記録媒体挿入口を閉塞している状態においては、ねじりコイルばねの弾性力が作用していない状態であるため振動等の外力が加わると閉塞状態が解除され、装置内に塵埃が入り易いという問題があった。
【０００５】
この発明は、上述のような課題を解消するためになされたもので、組み立て時の作業性がよく、かつ記録媒体挿入口を閉塞している状態においても、適度の弾性力でもって閉塞状態を保持している防塵扉構造を得ることを目的とする。
【０００６】
【課題を解決するための手段】
この発明に係る防塵扉構造においては、蓋体とその両端に設けられた回動軸を有し、装置本体に形成された記録媒体挿入口に上記回動軸が支持されて上記記録媒体挿入口を閉塞する防塵扉と、上記回動軸に設けられ、当該回動軸を挟んで平行に軸線方向に延在する一対の弾性部材係止部と、上記回動軸に一部が挿入され、この一部を挟むように一方と他方が上記一対の弾性部材係止部の各々に係止される弾性部材と、上記装置本体に設けられ、上記防塵扉を上記記録媒体挿入口に装着したとき、上記弾性部材の両端部に上記弾性部材係止部と同じ側から当接する一対のストッパとを備えたものである。
【０００７】
また、弾性部材が、ねじりコイルばねで構成されたものである。
【０００８】
また、弾性部材が、Ｕ字形に形成された板ばねで構成されたものである。
【０００９】
また、一対のストッパのねじりコイルの端部が当接する部分に、凹部が形成されているものである。
【００１０】
また、弾性部材の側面から見た形状が、回動軸の軸線を含み、かつ、一対のストッパを結ぶ線に対して垂直な平面について対称形に形成されているものである。
【００１１】
【発明の実施の形態】
以下、この発明をその実施の形態を示す図面に基づいて具体的に説明する。
実施の形態１．
図１は、この発明の実施の形態１の防塵扉構造を示す図で、図１（ａ）は意匠パネルの背面から見た斜視図、図１（ｂ）はその分解斜視図、図１（ｃ）は防塵扉を図１（ａ）中の矢印Ｃ方向から見た側面図である。
図において、防塵扉３は蓋体３ａとその上端両端部に回動軸３ｂ，３ｂを有している。また、一方の回動軸３ｂの先端にはクランク部３ｃが形成され、このクランク部３ｃには回動軸３ｂを挟んで平行に軸線方向に延在する一対の弾性部材係止部３ｄ，３ｅが形成されており、回動軸３ｂに巻回部４ａが挿入されたねじりコイルばね４の端部４ｂ，４ｃが係止されている。このねじりコイルばね４は、図１（ｂ）に示すように、自由姿勢のときは両端部４ｂ，４ｃが一線上にはなく、回動軸３ｂに巻回部４ａを挿入するとき、図中に矢印Ｄで示す方向に撓めて挿入し、撓め力を解除したときは、図１（ｃ）に示すように、弾性部材係止部３ｄ，３ｅの内側を適度の弾性力で押圧した状態となっている。
【００１２】
このようにねじりコイルばね４が取り付けられた防塵扉３は、図１に一点鎖線で示すように、意匠パネル１に形成された取付け穴１ａと取付け溝１ｂに挿入されて回動可能に支持される。このとき、ねじりコイルばね４の端部４ｂ，４ｃは、それぞれ意匠パネル１に形成された一対のストッパ５ａ，５ｂに当接するように構成されている。
【００１３】
次に、この実施の形態１の動作を、図２を参照して説明する。
図２は、意匠パネル１の防塵扉取り付け部分の断面図で、図２（ａ）は防塵扉で記録媒体挿入口を閉塞している状態を示す図、図２（ｂ）は記録媒体挿入時の状態を示す図、図２（ｃ）は記録媒体排出時の状態を示す図である。
防塵扉３の閉塞位置は、ねじりコイルばね４の端部４ｂ，４ｃと、ストッパ５ａ，５ｂの係止位置により決まり、ねじりコイルばね４に適度の弾性力が付勢されていることで、振動等により防塵扉３が開くのを防止している。
【００１４】
図２（ｂ）は、記録媒体６の挿入時の状態を示しており、記録媒体６により挿入方向に押されて開いた防塵扉３は回動軸３ｂを中心に回動し、この時、ねじりコイルばね４の端部４ｃはストッパ５ａに当接して元の位置に止まり、他方の端部４ｂは防塵扉３とともに回動し、記録媒体６が通過すると元の位置に復帰して防塵扉３で記録媒体挿入口２を閉塞する。
【００１５】
図２（ｃ）は、記録媒体６の排出時の状態を示しており、記録媒体６により排出方向に押されて開いた防塵扉３は回動軸３ｂを中心に挿入時とは逆方向に回動し、ねじりコイルばね４の端部４ｂはストッパ５ｂに当接して元の位置に止まり、他方の端部４ｃは防塵扉３とともに回動し、記録媒体６が排出されると元の位置に復帰して防塵扉３で記録媒体挿入口２を閉塞する。
【００１６】
実施の形態２．
図３は、この発明の実施の形態２に係る防塵扉構造を示す図で、図１と同一符号はそれぞれ同一または相当部分を示している。図において、５ｃ，５ｄはストッパ５ａ，５ｂのねじりコイルばね４の端部４ｂ，４ｃが当接する部分に形成したＶ字状の凹部である。
この実施の形態２によれば、落下衝撃や振動によってねじりコイルばね４の端部４ｂ，４ｃがストッパ５ａ，５ｂから脱落するのを防止することができる。
【００１７】
実施の形態３．
図４は、この発明の実施の形態３に係る防塵扉構造を示す図で、図４（ａ）は意匠パネルの背面側から見た斜視図、図４（ｂ）は図４（ａ）中の矢印ｂ方向から見た防塵扉の側面図である。
図において、図１と同一符号はそれぞれ同一または相当部分を示しており、７はＵ字状に形成された板ばねで、７ａは回動軸３ｂに係合するＵ字部、７ｂ，７ｃは端部である。
この実施の形態３においても、上記実施の形態１と同様の作用効果を奏する。
【００１８】
なお、上記各実施の形態においては、ねじりコイルばね４および板ばね７の側面から見た形状を、回動軸の軸線を含み、かつ一対のストッパを結ぶ線に対して垂直な平面について対称形に形成している。このため、防塵扉３の回動軸３ｂに取り付けるとき、方向性がなくなるので、組み立て作業性が更に向上する。
【００１９】
【発明の効果】
この発明は、以上説明したように構成されているので、以下に示すような効果を奏する。
【００２０】
弾性部材に適度な張力を与えた状態で防塵扉の回動軸に取り付け、この防塵扉を記録媒体挿入口に取り付けたとき、上記弾性部材の端部を支承するストッパを設けたので、防塵扉を意匠パネルに取り付ける作業が容易となる。
また、防塵扉が記録媒体挿入口を閉塞している状態のときも、弾性部材によって適度の弾性力が加えられているので、防塵特性が向上する。
【図面の簡単な説明】
【図１】  この発明の実施の形態１に係る防塵扉構造を示す斜視図である。
【図２】  実施の形態１の動作説明図である。
【図３】  この発明の実施の形態２に係る防塵扉構造を示す斜視図である。
【図４】  この発明の実施の形態３に係る防塵扉構造を示す斜視図である。
【図５】  車載用音響機器の意匠パネルの正面図である。
【図６】  従来の防塵扉構造を示す斜視図である。
【符号の説明】
１  意匠パネル、２  記録媒体挿入口、１ａ  取付け穴、１ｂ  取付け溝、
３  防塵扉、３ａ  蓋体、３ｂ  回動軸、３ｃ  クランク部、
３ｄ，３ｅ  弾性部材係止部、４  ねじりコイルばね、４ａ  巻回部、
４ｂ，４ｃ  端部、５ｃ，５ｄ  凹部、７  Ｕ字形板ばね、７ａ  Ｕ字部、
７ｂ，７ｃ  端部。
【図１】
0004090566.tif 000002
【図２】
0004090566.tif 000003
【図３】
0004090566.tif 000004
【図４】
0004090566.tif 000005
【図５】
0004090566.tif 000006
【図６】
0004090566.tif 000007